【手続補正書】
【提出日】平成21年8月28日(2009.8.28)
【手続補正１】
【補正対象書類名】特許請求の範囲
【補正対象項目名】全文
【補正方法】変更
【補正の内容】
【特許請求の範囲】
【請求項１】
マイクロタイタープレートのそれぞれのウェルの複素インピーダンスを計測するインピーダンス計測システムであって、前記マイクロタイタープレートウェルは、ロウおよびカラムのアレイ内に形成され、前記マイクロタイタープレートは、上面および下面を有し、前記マイクロタイタープレートは、前記ウェル底部内のセンサ、および前記マイクロタイタープレートの前記下面上のコンタクトパッドを備え、
（１）計測およびマルチプレクシング回路を備える少なくとも１つのドータボードであって、
それぞれのドータボードは、前記マイクロタイタープレート上のウェルの特定のロウに関連付けられ、
前記少なくとも１つのドータボードは、前記マイクロタイタープレートの前記平面に直角な平面内に存在する、ドータボード、
（２）少なくとも１つのトップコンタクトボードであって、
それぞれのトップコンタクトボードアセンブリは、特定のロウ内の特定のウェルに関連付けられたセンサおよび前記ロウに関連付けられた前記ドータボードの間に相互接続手段を提供し、
前記少なくとも１つのトップコンタクトボードは、前記マイクロタイタープレートの前記平面に平行な平面内に、前記少なくとも１つのドータボードより上に、かつ前記マイクロタイタープレートより下に存在する、トップコンタクトボード、
（３）信号発生および信号処理回路を備えるマザーボードであって、
前記マザーボードは、前記マイクロタイタープレートの前記平面に平行な平面内に、前記少なくとも１つのドータボードより下に存在する、マザーボード、
（４）前記少なくとも１つのプリント回路基板アセンブリおよび前記マイクロタイタープレートコンタクトパッドの間の電気的接続のための手段を提供するセルプレートコンタクトアレイ、
（５）熱制御手段、および
（６）少なくとも３つの抵抗・容量ネットワークを備えるシステムインピーダンスドリフト補償のための手段
を備えるインピーダンス計測システム。
【請求項２】
請求項１に記載のインピーダンス計測システムであって、前記マイクロタイタープレートは、８ロウおよび１２カラムのアレイで構成された９６ウェルを有するインピーダンス計測システム。
【請求項３】
請求項１に記載のインピーダンス計測システムであって、前記少なくとも１つのトップコンタクトボードは、コンタクトプリント回路基板アセンブリであるインピーダンス計測システム。
【請求項４】
請求項１に記載のインピーダンス計測システムであって、前記少なくとも１つのプリントトップコンタクトボードは、３ｍｍより上で４ｍｍより下の厚さを有するインピーダンス計測システム。
【請求項５】
請求項１に記載のインピーダンス計測システムであって、前記少なくとも１つのプリント回路基板アセンブリは、前記少なくとも１つのドータボードを５本の線を介してインタフェースするインピーダンス計測システム。
【請求項６】
請求項１に記載のインピーダンス計測システムであって、前記熱制御のための手段は、デフレクタボードおよび少なくとも１つの熱源を備えるインピーダンス計測システム。
【請求項７】
請求項１に記載のインピーダンス計測システムであって、前記熱制御のための手段は、前記システム温度を±１．５℃内に制御できるインピーダンス計測システム。
【請求項８】
請求項１に記載のインピーダンス計測システムであって、前記熱制御のための手段は、前記システム温度を±１．０℃内に制御できるインピーダンス計測システム。
【請求項９】
請求項１に記載のインピーダンス計測システムであって、前記システムインピーダンスドリフト補償のための手段は、４つの抵抗・容量ネットワークを備えるインピーダンス計測システム。
【請求項１０】
請求項９に記載のインピーダンス計測システムであって、前記３つの抵抗・容量ネットワークは、セルを持つマイクロタイターウェルセンサに等しいインピーダンス値を持つレファレンスネットワーク、前記レファレンスネットワークより上のインピーダンス特性を持つＲ・Ｃネットワーク、および前記レファレンスネットワークより下のインピーダンス特性を持つＲ・Ｃネットワークを備えるインピーダンス計測システム。
【請求項１１】
請求項１に記載のインピーダンス計測システムであって、データアクセスおよびシステム制御のための外部インタフェース手段をさらに備えるインピーダンス計測システム。
【請求項１２】
請求項１１に記載のインピーダンス計測システムであって、前記外部インタフェース手段は、機器制御コンピュータであるインピーダンス計測システム。
【請求項１３】
請求項１１に記載のインピーダンス計測システムであって、前記外部インタフェース手段は、外部記憶装置であるインピーダンス計測システム。
【請求項１４】
請求項１１に記載のインピーダンス計測システムであって、前記外部インタフェース手段は、前記インピーダンス計測システムとＵＳＢシリアルケーブルを介してインタフェースするインピーダンス計測システム。
【請求項１５】
マイクロタイタープレートのそれぞれのウェルの複素インピーダンスを計測するインピーダンス計測システムであって、前記マイクロタイタープレートウェルは、ロウおよびカラムのアレイ内に形成され、前記マイクロタイタープレートは、上面および下面を有し、前記マイクロタイタープレートは、前記マイクロタイタープレートの前記下面上のコンタクトパッドを備え、
（１）計測およびマルチプレクシング回路を備える少なくとも１つのドータボードであって、
それぞれのドータボードは、前記マイクロタイタープレート上のウェルの特定のカラムに関連付けられ、
前記少なくとも１つのドータボードは、前記マイクロタイタープレートの前記平面に直角な平面内に存在する、ドータボード、
（２）少なくとも１つのトップコンタクトボードアセンブリであって、
それぞれのトップコンタクトボードアセンブリは、特定のカラム内の特定のウェルに関連付けられたセンサおよび前記カラムに関連付けられた前記ドータボードの間に相互接続手段を提供し、
前記少なくとも１つのトップコンタクトボードは、前記マイクロタイタープレートの前記平面に平行な平面内に、前記少なくとも１つのドータボードより上に、かつ前記マイクロタイタープレートより下に存在する、トップコンタクトボード、
（３）信号発生および信号処理回路を備えるマザーボードであって、
前記マザーボードは、前記マイクロタイタープレートの前記平面に平行な平面内に、前記少なくとも１つのドータボードより下に存在する、マザーボード、
（４）前記少なくとも１つのプリント回路基板アセンブリおよび前記マイクロタイタープレートコンタクトパッドの間の電気的接続のための手段を提供するセルプレートコンタクトアレイ、
（５）熱制御手段、および
（６）少なくとも３つの抵抗・容量ネットワークを備えるシステムインピーダンスドリフト補償のための手段
を備えるインピーダンス計測システム。
【請求項１６】
請求項１５に記載のインピーダンス計測システムであって、前記マイクロタイタープレートは、８ロウおよび１２カラムのアレイで構成された９６ウェルを有するインピーダンス計測システム。
【請求項１７】
請求項１５に記載のインピーダンス計測システムであって、前記少なくとも１つのトップコンタクトボードは、コンタクトプリント回路基板アセンブリであるインピーダンス計測システム。
【請求項１８】
請求項１５に記載のインピーダンス計測システムであって、前記少なくとも１つのプリントトップコンタクトボードは、３ｍｍより上で４ｍｍより下の厚さを有するインピーダンス計測システム。
【請求項１９】
請求項１５に記載のインピーダンス計測システムであって、前記少なくとも１つのプリント回路基板アセンブリは、前記少なくとも１つのドータボードを５本の線を介してインタフェースするインピーダンス計測システム。
【請求項２０】
請求項１５に記載のインピーダンス計測システムであって、前記熱制御のための手段は、デフレクタボードおよび少なくとも１つの熱源を備えるインピーダンス計測システム。
【請求項２１】
請求項１５に記載のインピーダンス計測システムであって、前記熱制御のための手段は、前記システム温度を±１．５℃内に制御できるインピーダンス計測システム。
【請求項２２】
請求項１５に記載のインピーダンス計測システムであって、前記熱制御のための手段は、前記システム温度を±１．０℃内に制御できるインピーダンス計測システム。
【請求項２３】
請求項１５に記載のインピーダンス計測システムであって、前記システムインピーダンスドリフト補償のための手段は、４つの抵抗・容量ネットワークを備えるインピーダンス計測システム。
【請求項２４】
請求項２３に記載のインピーダンス計測システムであって、前記３つの抵抗・容量ネットワークは、（１）セルを持つマイクロタイターウェルセンサに等しいインピーダンス値を持つレファレンスネットワーク、（２）前記レファレンスネットワークより上のインピーダンス特性を持つＲ・Ｃネットワーク、および（３）前記レファレンスネットワークより下のインピーダンス特性を持つＲ・Ｃネットワークを備えるインピーダンス計測システム。
【請求項２５】
請求項１５に記載のインピーダンス計測システムであって、データアクセスおよびシステム制御のための外部インタフェース手段をさらに備えるインピーダンス計測システム。
【請求項２６】
請求項２５に記載のインピーダンス計測システムであって、前記外部インタフェース手段は、機器制御コンピュータであるインピーダンス計測システム。
【請求項２７】
請求項２５に記載のインピーダンス計測システムであって、前記外部インタフェース手段は、外部記憶装置であるインピーダンス計測システム。
【請求項２８】
請求項２５に記載のインピーダンス計測システムであって、前記外部インタフェース手段は、前記インピーダンス計測システムとＵＳＢシリアルケーブルを介してインタフェースするインピーダンス計測システム。